(57)【要約】【課題】  床下に埋設される排水配管について、樹脂製等であっても容易に本体上部の一時的な保持が可能な排水配管の提供を課題とする。【解決手段】  本発明の排水配管１は床下に埋設される排水配管であって、下流側の配管３００が接続される本体下部２と、本体下部２に対して位置調整可能な本体上部１０と、本体下部２に対して本体上部１０の位置を一時的に保持する保持部１５から成る。保持部１５は本体上部１０と本体下部２のどちらか一方の周囲と、他方の端部に当接することで本体上部１０の位置を保持する。【選択図】図１
2018031196.tif 000002
【特許請求の範囲】
【請求項１】
床下に埋設される排水配管であって、
下流側の配管が接続される本体下部と、
上記本体下部に対して位置調整可能な本体上部と、
本体下部に対して本体上部の位置を一時的に保持する保持部から成り、
上記保持部は、本体上部と本体下部のどちらか一方の周囲と、他方の端部に当接することで本体上部の位置を保持することを特徴とする排水配管。
【請求項２】
上記保持部は、本体上部と本体下部のどちらか一方の周囲全周と、他方の端部全周に亘り当接することを特徴とする請求項１に記載の排水配管。
【請求項３】
床下に埋設される排水配管であって、
下流側の配管が接続される本体下部と、
上記本体下部に対して位置調整可能な本体上部と、
本体上部の位置を一時的に保持する保持部から成り、
上記保持部は、本体上部又は本体下部の一方に形成された複数の係合部と、
他方に形成された、上記係合部に係合される被係合部から成ることを特徴とする排水配管。
【請求項４】
床下に埋設される排水配管であって、
下流側の配管が接続される本体下部と、
上記本体下部に対して位置調整可能な本体上部と、
本体下部に対して本体上部の位置を一時的に保持する保持部から成り、
上記保持部は、本体上部と本体下部に形成された螺合部であることを特徴とする排水配管。
【請求項５】
請求項１乃至請求項４のいずれか１つに記載の排水配管を用いた排水配管の施工方法であって、
本体下部を下流側の配管に接続するとともに所定位置に配置し、
保持部材によって本体下部に対する本体上部の位置を一時的に保持した後に、
本体下部及び本体上部を埋設して床面を形成することを特徴とする排水配管の施工方法。
【発明の詳細な説明】
【技術分野】
【０００１】
本発明は、床面上に生じた排水を処理するため、床下に埋設される排水配管に関するものである。
【背景技術】
【０００２】
上記排水配管は、本体下部と本体上部から構成され、施工完了時において、本体下部は排水配管よりも更に下流側の配管に接続される。本体上部は本体下部に対して位置調整可能に構成されており、施工完了時において、本体上部の上端が床面上に床面と面一に露出するように配置される。施工完了後、床面と面一に露出する本体上部の開口から、床面上の排水が流入して下水側に排出される。
【０００３】
上記排水配管を取り付ける手順は以下の通りである。
まず、床に設けられた更に下流側の配管に、本体下部を接続する。次に、本体上部を本体下部に挿入し、本体上部の上端が床面と面一となるように位置を調整した後、本体下部の外周より内側に向けてビスを打ち込むことによって本体上部を本体下部に対して一時的に保持する。最後に、本体上部が保持された状態のままコンクリートを打設し、床面を形成する。
【０００４】
ここで、上記一時的な保持の方法に関し、従来の排水配管の場合、以下のような問題があった。
従来の排水配管は鋳物製であったため、強度があり、ビスを打ち込むことによって一時的な保持を行うことが可能であったが、製造コスト等の問題より、近年は樹脂により成形された排水配管を用いることが主流となっている。しかし、上記ビスによる保持を樹脂製の排水配管に使用した場合、打ち込まれたビスにより排水配管が変形してしまう、又は破損してしまう恐れがある。
又、従来の排水配管において、本体上部の高さ位置を変更する都度ビスを取り付けなければならず、作業が繁雑であった。又、ビスを取り付ける都度本体上部はビスによる破損の恐れが大きくなってしまう。
【先行技術文献】
【特許文献】
【０００５】
【特許文献１】特開２００６−１９４０４９号公報
【発明の概要】
【発明が解決しようとする課題】
【０００６】
本発明は上記問題に鑑み、床下に埋設される排水配管について、樹脂製等であっても容易に本体上部の一時的な保持が可能な排水配管の提供を課題とする。
【課題を解決するための手段】
【０００７】
上記課題を解決するための請求項１に記載の本発明は、床下に埋設される排水配管であって、
下流側の配管が接続される本体下部と、
上記本体下部に対して位置調整可能な本体上部と、
本体下部に対して本体上部の位置を一時的に保持する保持部から成り、
上記保持部は、本体上部と本体下部のどちらか一方の周囲と、他方の端部に当接することで本体上部の位置を保持することを特徴とする排水配管である。
【０００８】
尚、上記「周囲」とは、必ずしも全周に亘るものではなく、周の一部を含むものである。又、当該「周囲」とは内周も含むものである。
【０００９】
請求項２に記載の本発明は、上記保持部は、本体上部と本体下部のどちらか一方の周囲全周と、他方の端部全周に亘り当接することを特徴とする請求項１に記載の排水配管である。
【００１０】
請求項３に記載の本発明は、床下に埋設される排水配管であって、
下流側の配管が接続される本体下部と、
上記本体下部に対して位置調整可能な本体上部と、
本体上部の位置を一時的に保持する保持部から成り、
上記保持部は、本体上部又は本体下部の一方に形成された複数の係合部と、
他方に形成された、上記係合部に係合される被係合部から成ることを特徴とする排水配管である。
【００１１】
請求項４に記載の本発明は、床下に埋設される排水配管であって、
下流側の配管が接続される本体下部と、
上記本体下部に対して位置調整可能な本体上部と、
本体下部に対して本体上部の位置を一時的に保持する保持部から成り、
上記保持部は、本体上部と本体下部に形成された螺合部であることを特徴とする排水配管である。
【００１２】
請求項５記載の本発明は、請求項１乃至請求項４のいずれか１つに記載の排水配管を用いた排水配管の施工方法であって、
本体下部を下流側の配管に接続するとともに所定位置に配置し、
保持部材によって本体下部に対する本体上部の位置を一時的に保持した後に、
本体下部及び本体上部を埋設して床面を形成することを特徴とする排水配管の施工方法である。
【００１３】
上記各請求項に記載の発明によれば、従来の排水配管のように、本体上部の高さ位置を一時的に保持するためにビス等を用いる必要がない。又、本体上部の位置を変更しても、本体上部等が破損してしまう恐れがない。
【図面の簡単な説明】
【００１４】
【図１】本発明を示す（ａ）断面図（ｂ）図１（ａ）のＡ部拡大図である。
【図２】本発明の分解断面図である。
【図３】施工状態を示す参考断面図である。
【図４】第二実施形態を示す（ａ）断面図（ｂ）図４（ａ）のＡ部拡大図である。
【図５】本体上部を示す（ａ）断面図（ｂ）側面図である。
【図６】第三実施形態を示す（ａ）断面図（ｂ）図６（ａ）のＡ部拡大図である。
【図７】第四実施形態を示す（ａ）断面図（ｂ）図７（ａ）のＡ部拡大図である。
【図８】第五実施形態を示す断面図である。
【発明を実施するための形態】
【００１５】
以下、図面を参照しながら本発明の排水配管を説明する。尚、以下に記載する説明は実施形態の理解を容易にするためのものであり、これによって発明が制限して理解されるものではない。
【００１６】
以下に、本発明の第一実施形態について図１乃至図３を用いて説明する。
【００１７】
図１に示すように、本発明の排水配管１は、内部に封水を形成する排水トラップであり、本体下部２、本体上部１０、及び保持部１５より構成されている。又、施工完了時において、本体下部２の上端周縁には保持部１５が嵌着（載置）されているとともに、上方より本体上部１０が挿入されている。又、本体下部２は下端において、更に下流側の配管が接続されている。
【００１８】
本体下部２はポリプロピレン等の硬質の樹脂材から成り、図２に示すように、上方が開口するとともに、下端に底部３を有する円筒形の椀状体であって、底部３の中央には開口４が形成され、内部に封水筒８と椀９を備えている。又、本体下部２は内側に段部５が形成されているとともに、外側面より鍔部６が延設されている。又、本体下部２の上端には保持部１５が嵌着されている。
段部５は本体下部２外側面より内側に向けて突設されており、その内径は後述する本体上部１０の下端よりも小径である。従って、段部５は、本体下部２に対して本体上部１０が所定長さよりも長く挿入された際に、本体上部１０の下端が当接することによって、本体上部１０の高さ位置の下限を設定している。
鍔部６は床下に侵入した排水を本体下部２内に誘導する漏水受けであり、図３に示すように、施工完了時には上方に防水層Ｓが載置されている。又、鍔部６の付け根部分には孔７が形成されており、防水層Ｓより流れてくる排水は孔７より本体下部２内へと流入する。
尚、施工時に孔７よりも低い位置に後述する本体上部１０が降下した場合でも、本体上部２と本体下部１０の間には隙間が生じており、水密に閉塞されているわけでは無いため、鍔部６上に溜まった排水は、孔７を介して本体下部２内に流入することができる。
封水筒８は開口４に挿入され、本体下部２と水密に当接する筒状の部材であり、上方には椀９が載置されている。
椀９は下方が開放された状態で封水筒８上に載置されており、封水筒８と共に本体下部２内の排水流路を形成する。
【００１９】
本体上部１０は筒部１１、フランジ部１２、及び目皿１３より構成されており、図２に示すように、施工完了時において、フランジ部１２の上端は床面１００と面一となる位置に配置されており、その上面が床面１００より露出している。
筒部１１はポリプロピレン等の硬質の樹脂材から成り、外径が上記本体下部２の内径と略同径の筒状体であって、上端の外周には雄螺子が形成されており、その下端は本体下部２の内部に挿入されている。又、筒部１１の外周には、本体下部２上端に載置された保持部１５が全周に亘り当接している。
フランジ部１２は下端に雌螺子が形成されており、上記筒部１１と螺合されている。又、フランジ部１２の上端には目皿１３が載置されている。目皿１３は平面視円形であって、網状に形成された塵芥捕集部を有している。
【００２０】
保持部１５は図１（ｂ）に示すように、シリコン等の弾性素材から成る平面視円形且つ環状のパッキンであり、その下面が本体下部２の上端に嵌着されている。即ち、保持部１５は本体下部２の上端に載置固定されている。尚、施工完了状態において、保持部１５はその下面が本体下部２に当接しており、その内側面が本体上部１０の外側面に当接されている。
【００２１】
上記排水配管における排水流路は、本体上部１０及び本体下部２の内側面、封水筒８、及び椀９によって形成されるとともに、底部３を底面として屈曲しており、内部に流入した排水の一部が貯留可能となっている。即ち、本実施形態における排水配管１は当該貯留した排水によって排水流路の一部を満水状態にすることで、下流側からの臭気や害虫の逆流を防止する排水トラップである。
【００２２】
次に、第一実施形態に係る排水配管１の施工方法を説明する。
【００２３】
まず、本体下部２の上端周縁に保持部１５を嵌着させる。この時、保持部１５は本体下部２上に載置されるとともに、本体下部２と水密に当接された状態となる。
次に、床下から立ち上げられている下流側の配管３００に対し、本体下部２を取り付ける。
次に、本体下部２に本体上部１０を挿入する。この時、本体上部１０外周に保持部１５が当接し、摩擦が発生するが、当該摩擦に逆らって本体上部１０を上方から押し込むことにより、作業者は本体下部２に対し、任意の高さ位置に本体上部１０を配置することができる。又、任意の高さ位置に配置された本体上部１０は、保持部１５の摩擦によって、当該高さ位置が一時的に保持される。
最後に、コンクリート２００を打設し、本体上部１０の開口が面一に露出するようにして、床面１００を形成する。この時、打設されたコンクリート２００によって本体下部２と本体上部１０は完全に固定される。
【００２４】
次に、図４乃至図５を用いて本発明の第二実施形態を説明する。尚、以下に記載する第二実施形態においては、上記第一実施形態とは保持部１５のみが異なるため、当該相違点に関する記載のみを行い、その他の点については上記第一実施形態と同一の符号を付して説明を省略する。
【００２５】
第二実施形態に係る保持部１５はベルト状部材であって、図５（ｂ）に示すように、ベルト部１７と固定部１８より成り、本体上部１０（筒部１１）の全周に亘って巻着されている。ベルト部１７は本体上部１０の周囲に巻き付けられる帯状部分であり、その長さは筒部１１の外周よりも長尺である。固定部１８は上記ベルト部１７の端部に形成され、ベルト部１７の他端が挿通可能となっている。ここで、ベルト部１７は側面において、短手方向に延設された凸条（図示せず）が複数形成されており、当該凸条によってベルト部１７は固定部１８に対し挿通可能であるが抜脱不可能となっている。
【００２６】
次に、第二実施形態に係る排水配管１の施工方法を説明する。
【００２７】
まず、本体上部１０の外周に保持部１５を巻着させる。この時、保持部１５は環状の締め付け部材となり、本体上部１０外周に当接されるとともに、締め付けによる摩擦でその位置が固定される。
次に、床下から立ち上げられている下流側の配管３００に対し、本体下部２を取り付ける。
次に、本体下部２に本体上部１０を挿入する。この時、本体上部１０は保持部１５が巻着されている部分において本体下部２の内径よりも大径となるため、保持部１５の下面が本体下部２上端周縁に当接し、本体上部１０（及び保持部１５）が本体下部２に載置される。
最後に、コンクリート２００を打設し、本体上部１０の開口が面一に露出するようにして、床面１００を形成する。この時、打設されたコンクリート２００によって本体下部２と本体上部１０は完全に固定される。
【００２８】
上記施工時において、作業者は本体上部１０に巻着する保持部１５の高さ位置を適宜変更することによって、本体下部２に対して任意の高さ位置に本体上部１０を配置することができるものである。即ち、本実施形態においては、本体上部１０は保持部１５の締め付けによって、本体下部２に対する高さ位置が一時的に保持される。
【００２９】
本発明の第一実施形態及び第二実施形態は以上であるが、本発明は上記各実施形態の形状に限られるものではなく、発明の主旨を逸脱しない範囲において種々の形状変更を加えても良いものである。例えば、第一実施形態及び第二実施形態において、保持部１５は本体上部１０の全周に亘り取り付けられており、本体上部１０を傾くことなく保持することが可能であったが、周の一部にのみ保持部１５が取り付けられていても良い。又、第一実施形態において、保持部１５を本体上部１０の下端に取り付け、本体上部１０の下端と本体下部２の内周に当接するように構成しても良い。
【００３０】
又、図６に示す第三実施形態のように、保持部１５を係合部２０と被係合部２１から構成しても良い。係合部２０は本体下部２の上端に形成された爪部であって、被係合部２１は本体上部１０の外側面に複数形成された凹部であり、係合部２０は任意の被係合部を選択して係合することができる。
上記第三実施形態においては、本体下部２に本体上部１０を挿入した際、係合部２０が被係合部２１と係合し、本体上部１０の高さ位置を一時的に保持することができる。又、上述の通り被係合部２１は本体上部１０の外側面において複数形成されていることから、作業者は係合部２０が任意の被係合部２１と係合するまで本体上部１０を押し込むことによって、本体下部２に対する本体上部１０の高さ位置を調整することができる。
又、係合部２０を爪部からＣ字リングに代えても良い。この場合に置いては、作業者は任意の被係合部２１にＣ字リングを嵌め込み、当該Ｃ字リングが本体下部２上に載置されることで本体上部１０の高さ位置を一時的に保持することが可能となる。
【００３１】
又、図７に示す第四実施形態のように、保持部１５を本体下部２の内周上端に形成された雌螺子部及び本体上部１０の外周下端に形成された雄螺子部から成る螺合部２５から構成しても良い。当該第四実施形態においては、本体下部２と本体上部１５を螺合させることにより、本体下部２に対する本体上部１５の高さ位置を調整することが可能となる。尚、雌螺子部と雄螺子部のクリアランスを調整することによって螺合に必要な応力を調整することにより、施工時における本体上部１５の高さ位置の一時的保持が確実なものとなる。
【００３２】
又、上記各実施形態においては、本体上部１０が本体下部２内に挿入されることで本体上部１０の位置調整を行っていたが、図８に示す第五実施形態のように、本体下部２が本体上部１０内に挿入されても良い。尚、この場合においても、シリコン等の軟質部材から成る保持部１５に代えて、第二実施形態に記載の、ベルト状部材から成る保持部１５やその他の実施形態において記載した保持部１５を採用しても良いものである。
【００３３】
本発明は保持部１５による摩擦や締め付け、係合等によって、本体下部２に対して本体上部１０を一時的に保持することができるため、従来の排水配管のように、本体上部１０の高さ位置を一時的に保持するためにビス等を用いる必要がない。従って、排水配管が樹脂製であっても、容易に本体上部１０の高さ位置を一時的に保持することが可能となる。又、当該高さ位置の一時的な保持に際し、作業者は本体下部２に対し本体上部１０を挿入するだけで良いため、高さ調整を容易に行うことができる。尚、施工完了時には、打設されたコンクリート２００によって本体下部２と本体上部１０は完全に固定されるため、床面１００形成後に本体下部２と本体上部１０の位置がズレてしまうことはない。
【符号の説明】
【００３４】
１    排水配管
２    本体下部
３    底部
４    開口
５    段部
６    鍔部
７    孔
８    封水筒
９    椀
１０  本体上部
１１  筒部
１２  フランジ部
１３  目皿
１５  保持部
１７  ベルト部
１８  固定部
２０  係合部
２１  被係合部
２５  螺合部
１００  床面
２００  コンクリート
３００  配管
Ｓ      防水層
【図１】
2018031196.tif 000003
【図２】
2018031196.tif 000004
【図３】
2018031196.tif 000005
【図４】
2018031196.tif 000006
【図５】
2018031196.tif 000007
【図６】
2018031196.tif 000008
【図７】
2018031196.tif 000009
【図８】
2018031196.tif 000010